(57)【要約】【課題】停電した複数の室内機の冷媒回路を短時間で全体の冷媒回路から分離可能な空気調和機を得ること。【解決手段】室外機と、第１の冷媒回路遮断器を有する第１の室内機と、冷媒回路遮断器を有さない第２の室内機と、第２の室内機へ流出入する冷媒を分配する分配機と、を備え、これらが伝送線及び同一の冷媒配管により接続された空気調和機であって、第１の電源及び伝送線に接続された室外機が第１の室内機及び分配機への電力供給可能な伝送線電源回路を備え、第２の電源に接続された分配機が主管側の第２の冷媒回路遮断器及び第１の停電検出回路を備え、第１の停電検出回路にて停電が検出されると第１の冷媒回路遮断器により第２の室内機のすべてを冷媒配管から分離し、第３の電源に接続された第１の室内機が第２の停電検出回路を備え、第２の停電検出回路にて停電が検出されると第２の冷媒回路遮断器により第１の室内機を冷媒配管から分離する。【選択図】図１
2016109363.tif 000002
【特許請求の範囲】
【請求項１】
１台または複数台の室外機と、
冷媒の流入量若しくは流出量を調整し、または冷媒の流入若しくは流出を遮断する第１の冷媒回路遮断器を有する１台または複数台の第１の室内機と、
冷媒回路遮断器を有さない１台または複数台の第２の室内機と、
前記第２の室内機へ流入しまたは前記第２の室内機から流出する冷媒を分配する１台または複数台の分配機と、を備え、
前記室外機、前記第１及び第２の室内機及び前記分配機が伝送線及び同一の冷媒配管により接続された空気調和機であって、
前記室外機は、第１の電源及び前記伝送線に接続されて、前記第１の室内機及び前記分配機への電力供給を可能とする伝送線電源回路を備え、
前記分配機は、第２の電源に接続されて、前記分配機の主管側に、前記分配機への冷媒の流入量若しくは流出量を調整し、または冷媒の流入若しくは流出を遮断する第２の冷媒回路遮断器と、前記第２の電源の停電を検出する第１の停電検出回路とを備え、前記第１の停電検出回路にて前記第２の電源の停電が検出されると前記伝送線から供給される電力によって、第１の冷媒回路遮断器を動作させることで前記第２の室内機のすべてを前記冷媒配管から分離し、
前記第１の室内機は、第３の電源に接続されて前記第３の電源の停電を検出する第２の停電検出回路を備え、前記第２の停電検出回路にて前記第２の電源の停電が検出されると前記伝送線から供給される電力によって、第２の冷媒回路遮断器を動作させることで前記第１の室内機を前記冷媒配管から分離することを特徴とする空気調和機。
【請求項２】
前記第２の冷媒回路遮断器は電子膨張弁を備え、
前記電子膨張弁は、前記第２の室内機または前記分配機における停電の検出により閉じることを特徴とする請求項１に記載の空気調和機。
【請求項３】
前記第２の冷媒回路遮断器は電磁弁を備え、
前記電磁弁は、前記第２の室内機または前記分配機における停電の検出により閉じることを特徴とする請求項１に記載の空気調和機。
【請求項４】
前記第２の冷媒回路遮断器は通電時には開状態で冷媒の流出入を可能とし、非通電時には閉状態で冷媒を遮断する構成であり、
前記第２の電源が停電すると、前記第２の冷媒回路遮断器への電力供給が停止することで冷媒が遮断されることを特徴とする請求項１に記載の空気調和機。
【請求項５】
冷媒回路と、
前記冷媒回路に接続され、１個または複数個の第１の電源に接続された１台または複数台の室外機と、
前記冷媒回路に接続され、１個または複数個の第２の電源に接続された１台または複数台の第１の冷媒回路遮断器を有する第１の室内機と、
主管が前記冷媒回路に接続され、第３の電源に接続された第２の冷媒回路遮断器を有する分配器と、
前記分配器の前記主管から分岐した枝管を介して前記冷媒回路に接続され、外部から給電可能な構成を含み冷媒回路遮断器を有さない第２の室内機と、を備え、
前記第２の電源が停電すると前記第１の冷媒回路遮断器により前記第１の室内機を前記冷媒回路から分離し、
前記第３の電源が停電すると前記第２の冷媒回路遮断器により前記分配器の前記主管を遮断することで前記第２の室内機を前記冷媒回路から分離することを特徴とする空気調和機。
【発明の詳細な説明】
【技術分野】
【０００１】
本発明は、少なくとも１台の室外機と、複数台の室内機と、各室内機へ冷媒を分配する少なくとも１台の分配機とを備える空気調和機に関する。
【背景技術】
【０００２】
従来の空気調和機では、複数の室内機が含まれる場合に一部の室内機で停電を検出すると、各室内機の冷媒回路遮断手段を伝送線からの給電によって動作させて冷媒の流出を遮断することで、システム全体を停止させることなく他の室内機を運転させる。一例である特許文献１には、「一部の室内ユニットの電源が遮断されても熱交換器の結霜、凍結および漏水を招くことなく他の室内ユニットが運転できる空気調和機を得る」ことを課題とし、「伝送線５に接続され各室内ユニット２、３への電力供給を行う伝送線電源１６と、各室内ユニットに流入又は流出する冷媒量を調節又は遮断する冷媒回路遮断手段２１、４１と、各室内ユニットの電源の遮断を検出する停電検出手段３０、５０と、室内ユニットの電源が遮断されても少なくとも伝送線による通信機能と冷媒回路遮断手段の駆動機能を確保できる電力を伝送線から受電する伝送線受電手段２９、４９と、停電検出手段により電源遮断を検出した時に冷媒回路遮断手段を動作させ室内ユニットへの冷媒流入又は室内ユニットからの冷媒流出を遮断する冷媒回路遮断制御手段３４、５４と、一部の室内ユニットの電源遮断を検出しても室外ユニットの運転を継続する運転制御手段１０とを備える」空気調和機が開示されている。
【先行技術文献】
【特許文献】
【０００３】
【特許文献１】特開２００５−７７０５６号公報
【発明の概要】
【発明が解決しようとする課題】
【０００４】
しかしながら、上記従来の技術によれば、複数の室内機の停電を検出した場合には冷媒回路の遮断を一台ずつ順次行うので、停電が検出された全ての室内機の冷媒回路を全体の冷媒回路から分離するまでには時間を要する。そのため、室外機の運転を継続すると、全ての室内機の冷媒回路を遮断するまでに漏水事故が生じてしまう、という問題があった。
【０００５】
そこで、複数の室内機の停電を検出した場合に停電が検出された全ての室内機の冷媒回路の遮断を一度に行うとすると、冷媒回路遮断器に対して伝送線から大電力を供給しなければならない。そのため、室外機の電源回路基板を大電力に対応した構成にしなければならず、電源回路基板の大型化及び高コスト化を招く、という問題があった。
【０００６】
本発明は、上記に鑑みてなされたものであって、電源回路基板の大型化及び高コスト化を抑制しつつ、複数の室内機の停電を検出すると、停電が検出された全ての室内機の冷媒回路を短時間で全体の冷媒回路から分離することができる空気調和機を得ることを目的とする。
【課題を解決するための手段】
【０００７】
上述した課題を解決し、目的を達成するために、本発明に係る空気調和機は、１台または複数台の室外機と、冷媒の流入量若しくは流出量を調整し、または冷媒の流入若しくは流出を遮断する第１の冷媒回路遮断器を有する１台または複数台の第１の室内機と、冷媒回路遮断器を有さない１台または複数台の第２の室内機と、前記第２の室内機へ流入しまたは前記第２の室内機から流出する冷媒を分配する１台または複数台の分配機と、を備え、前記室外機、前記第１及び第２の室内機及び前記分配機が伝送線及び同一の冷媒配管により接続された空気調和機であって、前記室外機は、第１の電源及び前記伝送線に接続されて、前記第１の室内機及び前記分配機への電力供給を可能とする伝送線電源回路を備え、前記分配機は、第２の電源に接続されて、前記分配機の主管側に、前記分配機への冷媒の流入量若しくは流出量を調整し、または冷媒の流入若しくは流出を遮断する第２の冷媒回路遮断器と、前記第２の電源の停電を検出する第１の停電検出回路とを備え、前記第１の停電検出回路にて前記第２の電源の停電が検出されると前記伝送線から供給される電力によって、第１の冷媒回路遮断器を動作させることで前記第２の室内機のすべてを前記冷媒配管から分離し、前記第１の室内機は、第３の電源に接続されて前記第３の電源の停電を検出する第２の停電検出回路を備え、前記第２の停電検出回路にて前記第２の電源の停電が検出されると前記伝送線から供給される電力によって、第２の冷媒回路遮断器を動作させることで前記第１の室内機を前記冷媒配管から分離することを特徴とする。
【発明の効果】
【０００８】
本発明によれば、電源回路基板の大型化及び高コスト化を抑制しつつ、複数の室内機の停電を検出すると、停電が検出された全ての室内機の冷媒回路を短時間で全体の冷媒回路から分離することができる空気調和機を得ることができる、という効果を奏する。
【図面の簡単な説明】
【０００９】
【図１】実施の形態にかかる空気調和機の構成の一例を示すブロック図
【図２】実施の形態にかかる空気調和機が備える冷媒回路遮断器を有する室内機の動作の一例を示すフローチャート
【図３】実施の形態にかかる空気調和機が備える分配機の動作の一例を示すフローチャート
【図４】実施の形態にかかる空気調和機が備える室外機の動作の一例を示すフローチャート
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態．
図１は、本発明の実施の形態にかかる空気調和機の構成の一例を示すブロック図である。図１に示す空気調和機は、室外機１と、室外機１に接続された冷媒配管１０と、室外機１と冷媒配管１０にて接続され、冷媒回路遮断手段であって第１の冷媒回路遮断器である冷媒回路遮断器９ｄを有する第１の室内機である室内機３と、室外機１と冷媒配管１０にて接続され、冷媒回路遮断器を有さない第２の室内機である室内機４ａ，４ｂ，４ｃと、室外機１と冷媒回路遮断器を有さない室内機４ａ，４ｂ，４ｃとの間に配され、室内機４ａ，４ｂ，４ｃへの冷媒の流入または冷媒の流出を調整し、または遮断する分配機２と、室外機１と分配機２との間における通信及び電力の供給を行う伝送線１２と、分配機２と室内機３との間における通信及び電力の供給を行う伝送線１２ａと、分配機２と室内機４ａ，４ｂ，４ｃとの間における通信及び電力の供給を行う伝送線１２ｂと、を備える。なお、冷媒配管１０は、分岐管１１，１１ａによって分岐されている。伝送線１２ｂと併設された電源線２１は、電源２０ａが給電可能である場合に電源２０ａから分配器２を介して電力を供給する電源線である。電源２０ａが停電すると、室内機４ａ，４ｂ，４ｃへの電力の供給は、伝送線１２ｂを介して行われるよう切り替えられる。
【００１２】
なお、図１においては、分配機が１台、冷媒回路遮断器を有する室内機が１台、冷媒回路遮断器を有さない室内機が３台であるが、本発明はこれに限定されず、空気調和機の制約範囲内でこれらの台数を増減させ、または機器の組合せを変えてもよい。ただし、少なくとも１台の室外機と、複数台の室内機と、各室内機へ冷媒を分配する少なくとも１台の分配機とを備える。
【００１３】
室外機１は、商用電源であって第１の電源である電源２０に接続され、冷媒配管１０の冷媒を凝縮または蒸発させて熱交換を行う熱交換器６と、熱交換器６に送風して熱交換させるファン５と、冷媒配管１０の冷媒を圧縮及び循環させる圧縮機７と、室外機１を制御するマイコン１３と、分配機２と通信する通信回路１４と、伝送線１２，１２ａ，１２ｂに電力を供給する伝送線電源回路１５と、ファン５を駆動するファン駆動回路１６と、圧縮機７を駆動する圧縮機駆動回路１７とを備える。
【００１４】
分配機２は、室外機１及び室内機３と通信する通信回路１４ａと、商用電源であって第２の電源である電源２０ａの停電を検出して停電検出信号を出力する第１の停電検出回路である停電検出回路１８ａと、停電検出回路１８ａからの停電検出信号により冷媒回路遮断器駆動回路１９ａに制御信号を出力するマイコン１３ａと、冷媒配管の主管に設置され、マイコン１３ａからの制御信号により主管側の冷媒回路遮断器８の開度を調整または遮断すべく動作させる冷媒回路遮断器駆動回路１９ａと、冷媒配管の枝管に設置され、マイコン１３ａからの制御信号により冷媒回路遮断器を有さない室内機４ａ，４ｂ，４ｃへの冷媒量を調節または遮断する枝管側の冷媒回路遮断器９ａ，９ｂ，９ｃとを備える。なお、第１の冷媒回路遮断器である冷媒回路遮断器９ｄと区別するため、主管側の冷媒回路遮断器８は第２の冷媒回路遮断器と呼び、枝管側の冷媒回路遮断器９ａ，９ｂ，９ｃは第３の冷媒回路遮断器と呼ぶこととする。主管側の冷媒回路遮断器８及び枝管側の冷媒回路遮断器９ａ，９ｂ，９ｃは、いずれも冷媒回路遮断手段と呼んでもよい。
【００１５】
室内機３は、分配機２と通信する通信回路１４ｂと、商用電源であって第３の電源である電源２０ｂの停電を検出して停電検出信号を出力する第２の停電検出回路である停電検出回路１８ｂと、停電検出回路１８ｂからの停電検出信号により冷媒回路遮断器駆動回路１９ｂに制御信号を出力するマイコン１３ｂと、マイコン１３ｂからの制御信号により冷媒回路遮断器９ｄの開度を調整または遮断すべく動作させる冷媒回路遮断器駆動回路１９ｂと、冷媒回路遮断器９ｄによって流量を調整された冷媒を凝縮または蒸発させて熱交換を行う熱交換器６ｄと、熱交換器６ｄに送風して熱交換させるファン５ｄとを備える。
【００１６】
室内機４ａは、冷媒回路遮断器９ａによって流量を調整された冷媒を凝縮または蒸発させて熱交換を行う熱交換器６ａと、熱交換器６ａに送風して熱交換させるファン５ａとを備える。室内機４ｂは、冷媒回路遮断器９ｂによって流量を調整された冷媒を凝縮または蒸発させて熱交換を行う熱交換器６ｂと、熱交換器６ｂに送風して熱交換させるファン５ｂとを備える。室内機４ｃは、冷媒回路遮断器９ｃによって流量を調整された冷媒を凝縮または蒸発させて熱交換を行う熱交換器６ｃと、熱交換器６ｃに送風して熱交換させるファン５ｃとを備える。
【００１７】
なお、上記構成においては、通電時に閉弁となり、冷媒の流入を遮断する冷媒回路遮断器８，９ａ，９ｂ，９ｃ，９ｄにリニア電子膨張弁（ＬＥＶ：Ｌｉｎｅａｒ  Ｅｘｐａｎｓｉｏｎ  Ｖａｌｖｅ）を用いた場合を例示しているが、本発明はこれに限定されず、リニア電子膨張弁に代えて通電時に開弁となる電磁弁を用いてもよい。
【００１８】
なお、図１においては、分配機２及び室内機３，４ａ，４ｂ，４ｃへの冷媒の流入が遮断される構成としているが、本発明はこれに限定されない。分配機２及び室内機３，４ａ，４ｂ，４ｃからの冷媒の流出が遮断される構成であってもよいし、分配機２及び室内機３，４ａ，４ｂ，４ｃへの冷媒の流入及び分配機２及び室内機３，４ａ，４ｂ，４ｃからの冷媒の流出の双方を遮断可能な構成であってもよい。
【００１９】
図２は、本発明の実施の形態にかかる空気調和機が備える冷媒回路遮断器を有する室内機３の動作の一例を示すフローチャートである。まず、処理をスタートして（Ｓ１０）制御プログラムを開始する立ち上げ処理を行う。室内機３は、通電されている状態における運転動作の制御である運転制御を行いつつ（Ｓ１１）、停電検出回路１８ｂによって電源２０ｂの停電を検出したか否かの判定を行う（Ｓ１２）。停電を検出していない場合、すなわちＳ１２でＮｏに分岐する場合には、室内機３は、運転制御を継続する。停電を検出した場合、すなわちＳ１２でＹｅｓに分岐する場合には、室内機３は、室内機３の電力供給先である電源を電源２０ｂから伝送線１２ａに切り替え（Ｓ１３）、伝送線１２ａを介して室外機１へ停電信号を出力することで停電を室外機１へ通報し（Ｓ１４）、室内機３は冷媒回路遮断器９ｄを全閉とすることで室内機３を空気調和機の冷媒配管１０から切り離す（Ｓ１５）。
【００２０】
その後、室内機３は停電検出回路１８ｂによって停電を検出したか否かの判定を行う（Ｓ１６）。停電を検出した場合、すなわちＳ１６でＹｅｓに分岐する場合には、室内機３は、停電が継続しているとし、停電の判定を繰り返す。停電を検出しなかった場合、すなわちＳ１６でＮｏに分岐する場合には、室内機３は、停電が終了して復電したと判断し、伝送線１２ａを介して復電信号を室外機１へ出力するとともに電力供給先を伝送線１２ａから電源２０ｂに切り替える復電処理を行い（Ｓ１７）、Ｓ１１の運転制御に戻る。
【００２１】
図３は、本発明の実施の形態にかかる空気調和機が備える分配機２の動作の一例を示すフローチャートである。まず、処理をスタートして（Ｓ２０）制御プログラムを開始する立ち上げ処理を行う。分配機２は、通電されている状態における運転動作の制御である運転制御を行いつつ（Ｓ２１）、停電検出回路１８ａによって停電を検出したか否かの判定を行う（Ｓ２２）。停電を検出していない場合、すなわちＳ２２でＮｏに分岐する場合には、分配機２は、運転制御を継続する。停電を検出した場合、すなわちＳ２２でＹｅｓに分岐する場合には、分配機２は、分配機２の電力供給先である電源を電源２０ａから伝送線１２または伝送線１２ａに切り替え（Ｓ２３）、伝送線１２または伝送線１２ａを介して室外機１へ停電信号を出力することで停電を室外機１へ通報し（Ｓ２４）、分配機主管ＬＥＶである冷媒回路遮断器８を全閉とすることで室内機４ａから４ｃを空気調和機の冷媒配管１０から切り離す（Ｓ２５）。このように、冷媒回路遮断器８を全閉することで室内機４ａから４ｃを空気調和機の全体の冷媒回路から一度に分離することができ、且つ動作させるべき冷媒回路遮断器が一つである。そのため大電力を必要とせず、電源回路基板を大電力対応のものに交換する必要がなく、且つ停電が検出された全ての室内機の冷媒回路を短時間で全体の冷媒回路から分離することができる。
【００２２】
その後、分配機２は停電検出回路１８ａによって停電を検出したか否かの判定を行う（Ｓ２６）。停電を検出した場合、すなわちＳ２６でＹｅｓに分岐する場合には、分配機２は、停電が継続していると判断して、停電の判定を繰り返す。停電を検出しなかった場合、すなわちＳ２６でＮｏに分岐する場合には、分配機２は、停電が終了して復電したと判断し、伝送線１２を介して復電信号を室外機１へ出力するとともに電力供給先を伝送線１２または伝送線１２ａから電源２０ａに切り替える復電処理を行い（Ｓ２７）、Ｓ２１の運転制御に戻る。
【００２３】
図４は、本発明の実施の形態にかかる空気調和機が備える室外機１の動作の一例を示すフローチャートである。まず、処理をスタートして（Ｓ３０）制御プログラムを開始する立ち上げ処理を行う。室外機１は、通電されている状態における運転動作の制御である運転制御を行いつつ（Ｓ３１）、停電の通報があったか否かの判定を行う（Ｓ３２）。停電の通報がなかった場合、すなわちＳ３２でＮｏに分岐する場合には、室外機１は、運転制御を継続する。少なくとも一つの停電の通報があった場合、すなわちＳ３２でＹｅｓに分岐する場合には、室外機１は、停電の通報元である分配機２または室内機３に、伝送線１２，１２ａを介して冷媒回路遮断器８，９ａから９ｄの開度を送信することで、通報元の冷媒回路遮断器８，９ａから９ｄを全閉とし、通報元の装置を空気調和機の冷媒配管１０から切り離す（Ｓ３３）。
【００２４】
次に、空気調和機内のすべての機器が停電状態、すなわち全停止であるか否かを判定する（Ｓ３４）。全停止である場合、すなわちＳ３４でＹｅｓに分岐する場合には、空気調和機を強制終了して停止させ（Ｓ３６）、処理を終了する（Ｓ３７）。全停止でない場合、すなわちＳ３４でＮｏに分岐する場合には、運転継続して（Ｓ３５）、再度停電の通報があったか否かの判定を繰り返す（Ｓ３２）。
【００２５】
以上説明した本実施の形態の空気調和機は、１台または複数台の室外機と、冷媒の流入量若しくは流出量を調整し、または冷媒の流入若しくは流出を遮断する第１の冷媒回路遮断器を有する１台または複数台の第１の室内機と、冷媒回路遮断器を有さない１台または複数台の第２の室内機と、前記第２の室内機へ流入しまたは前記第２の室内機から流出する冷媒を分配する１台または複数台の分配機と、を備え、前記室外機、前記第１及び第２の室内機及び前記分配機が伝送線及び同一の冷媒配管により接続された空気調和機であって、前記室外機は、第１の電源及び前記伝送線に接続されて、前記第１の室内機及び前記分配機への電力供給を可能とする伝送線電源回路を備え、前記分配機は、第２の電源に接続されて、前記分配機の主管側に、前記分配機への冷媒の流入量若しくは流出量を調整し、または冷媒の流入若しくは流出を遮断する第２の冷媒回路遮断器と、前記第２の電源の停電を検出する第１の停電検出回路とを備え、前記第１の停電検出回路にて前記第２の電源の停電が検出されると前記伝送線から供給される電力によって、第１の冷媒回路遮断器を動作させることで前記第２の室内機のすべてを前記冷媒配管から分離し、前記第１の室内機は、第３の電源に接続されて前記第３の電源の停電を検出する第２の停電検出回路を備え、前記第２の停電検出回路にて前記第２の電源の停電が検出されると前記伝送線から供給される電力によって、第２の冷媒回路遮断器を動作させることで前記第１の室内機を前記冷媒配管から分離することを特徴とする。
【００２６】
前記構成の空気調和機において、前記第２の冷媒回路遮断器は電子膨張弁を備え、前記電子膨張弁は、前記第２の室内機または前記分配機における停電の検出により閉じる構成であってもよい。このような構成とすることにより、運転制御中の冷媒流量の制御との併用が可能である。
【００２７】
前記構成の空気調和機において、前記第２の冷媒回路遮断器は電磁弁を備え、前記電磁弁は、前記第２の室内機または前記分配機における停電の検出により閉じる構成であってもよい。このような構成とすることにより、冷媒漏れのリスクを低減することができ、また、リレー信号によりオンオフの切り替えが可能であるため、電子膨張弁を用いる場合よりも駆動に必要な電力を低減することができる。
【００２８】
前記構成の空気調和機において、前記第２の冷媒回路遮断器は通電時には開状態で冷媒の流出入を可能とし、非通電時には閉状態で冷媒を遮断する構成であり、前記第２の電源が停電すると、前記第２の冷媒回路遮断器への電力供給が停止することで冷媒が遮断される構成であってもよい。このような構成とすることにより、冷媒回路遮断のための給電及び制御が不要であり、停電と同時に自動で冷媒回路を遮断することができる。
【００２９】
または、本実施の形態の空気調和機は、冷媒回路と、前記冷媒回路に接続され、１個または複数個の第１の電源に接続された１台または複数台の室外機と、前記冷媒回路に接続され、１個または複数個の第２の電源に接続された１台または複数台の第１の冷媒回路遮断器を有する第１の室内機と、主管が前記冷媒回路に接続され、第３の電源に接続された第２の冷媒回路遮断器を有する分配器と、前記分配器の前記主管から分岐した枝管を介して前記冷媒回路に接続され、外部から給電可能な構成を含み冷媒回路遮断器を有さない第２の室内機と、を備え、前記第２の電源が停電すると前記第１の冷媒回路遮断器により前記第１の室内機を前記冷媒回路から分離し、前記第３の電源が停電すると前記第２の冷媒回路遮断器により前記分配器の前記主管を遮断することで前記第２の室内機を前記冷媒回路から分離することを特徴とする。
【００３０】
以上説明したように、本実施の形態によれば、電源回路基板を大電力対応のものに交換する必要がなく、停電が検出された全ての室内機の冷媒回路を短時間で全体の冷媒回路から分離することができるので、電源回路基板の大型化及び高コスト化を抑制しつつ、漏水事故の発生を防止することができる。
【００３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３２】
１  室外機、２  分配機、３，４ａ，４ｂ，４ｃ  室内機、５  ファン、６  熱交換器、７  圧縮機、８，９ａ，９ｂ，９ｃ，９ｄ  冷媒回路遮断器、１０  冷媒配管、１１，１１ａ  分岐管、１２，１２ａ，１２ｂ  伝送線、１３，１３ａ，１３ｂ  マイコン、１４，１４ａ，１４ｂ  通信回路、１５  伝送線電源回路、１６  ファン駆動回路、１７  圧縮機駆動回路、１８ａ，１８ｂ  停電検出回路、１９ａ，１９ｂ  冷媒回路遮断器駆動回路、２０，２０ａ，２０ｂ  電源、２１  電源線。
【図１】
2016109363.tif 000003
【図２】
2016109363.tif 000004
【図３】
2016109363.tif 000005
【図４】
2016109363.tif 000006